(57)【要約】【課題】回転式電子部品と多方向揺動式電子部品とを一体化してもその外形寸法の小型化が図れる多機能操作型電子部品を提供する。【解決手段】第一回路基板３０と、第一回路基板３０上に回動自在に設置される回転型物６０と、回転型物６０を回動することでその電気的出力を変化させる電気的機能部（摺動子８１）と、回転型物６０の上方に設置され複数の押圧スイッチ１２３を設けてなる第二回路基板１２０と、第二回路基板１２０の上方に設置され揺動中心点（支持部１８５と揺動受け部１５３の係合部分）を中心に多方向に揺動するとともに、複数の押圧スイッチ１２３上に対向する位置にそれぞれ押圧部１８７を設けてなる揺動つまみ１８０と、揺動つまみ１８０の外周を囲むとともに、回転型物６０と一体化してなる回転つまみ２１０とを具備する。【選択図】図１
2006140046.tif 000002
【特許請求の範囲】
【請求項１】
第一回路基板と、
前記第一回路基板上に回動自在に設置される回転型物と、
前記回転型物を回動することでその電気的出力を変化させる電気的機能部と、
前記回転型物の上方に設置され複数の押圧スイッチを設けてなる第二回路基板と、
前記第二回路基板の上方に設置され揺動中心点を中心に多方向に揺動するとともに、前記複数の押圧スイッチ上に対向する位置にそれぞれ押圧部を設けてなる揺動つまみと、
揺動つまみの外周を囲むとともに、前記回転型物と一体化してなる回転つまみとを具備することを特徴とする多機能操作型電子部品。
【請求項２】
前記回転型物に軸支孔を設けるとともに、
前記回転型物に設けた軸支孔に挿入してこの回転型物を回動自在に軸支する基部と、前記回転型物の上面を覆うように設置されるとともに前記第二回路基板を載置する基板載置部とを具備してなる取付部材を有することを特徴とする請求項１に記載の多機能操作型電子部品。
【請求項３】
前記第二回路基板の内部に設けた開口にその上面を露出する基台部を設置し、
前記基台部上面に設けた揺動受け部と前記揺動つまみ下面に設けた支持部とを揺動自在に係合することで揺動つまみを揺動自在に支持したことを特徴とする請求項１に記載の多機能操作型電子部品。
【発明の詳細な説明】
【技術分野】
【０００１】
本発明は、多方向揺動式電子部品と回転式電子部品とを一体化してなる多機能操作型電子部品に関するものである。
【背景技術】
【０００２】
従来、電子部品の中には、回転つまみを回転することでその電気的出力を変化する回転式電子部品や、揺動つまみを多方向に揺動することで揺動方向に応じた電気的出力を出力する多方向揺動式電子部品等がある。そして近年、この種の電子部品を設置する電子機器の小型化により、前記各種電子部品を一つの部品として集積化することが望まれている。そこで例えば特許文献１に示すように、回転式電子部品の中央に押釦スイッチを設置すること等が行われている。
【０００３】
しかしながら従来、回転式電子部品と多方向揺動式電子部品とを一つの部品として一体化しているものはなかった。また回転式電子部品と多方向揺動式電子部品とを一体化するために特許文献１のように回転式電子部品の中央に多方向揺動式電子部品を設置しようとすると、一枚の回路基板上に多方向押圧式電子部品用の複数の押釦スイッチと、回転式電子部品用の摺接パターンとを設けなければならず、回路基板の外形寸法の小型化、さらにはこの電子部品全体の外形寸法の小型化が図れないという問題点があった。またこの種の電子部品を小型化しようとすると、回転式電子部品と多方向揺動式電子部品のそれぞれの可動部分が干渉する恐れが生じ、それぞれの操作を確実に独立して行うことができなくなる恐れもあった。
【特許文献１】特開２００１−１８４９６７号公報
【発明の開示】
【発明が解決しようとする課題】
【０００４】
本発明は上述の点に鑑みてなされたものでありその目的は、回転式電子部品と多方向揺動式電子部品とを一体化してもその外形寸法の小型化が図れ、また回転式電子部品の操作と多方向揺動型電子部品の操作を何れも独立して確実に行うことができる多機能操作型電子部品を提供することにある。
【課題を解決するための手段】
【０００５】
本願請求項１に記載の発明は、第一回路基板と、前記第一回路基板上に回動自在に設置される回転型物と、前記回転型物を回動することでその電気的出力を変化させる電気的機能部と、前記回転型物の上方に設置され複数の押圧スイッチを設けてなる第二回路基板と、前記第二回路基板の上方に設置され揺動中心点を中心に多方向に揺動するとともに、前記複数の押圧スイッチ上に対向する位置にそれぞれ押圧部を設けてなる揺動つまみと、揺動つまみの外周を囲むとともに、前記回転型物と一体化してなる回転つまみとを具備することを特徴とする多機能操作型電子部品にある。
【０００６】
本願請求項２に記載の発明は、前記回転型物に軸支孔を設けるとともに、前記回転型物に設けた軸支孔に挿入してこの回転型物を回動自在に軸支する基部と、前記回転型物の上面を覆うように設置されるとともに前記第二回路基板を載置する基板載置部とを具備してなる取付部材を有することを特徴とする請求項１に記載の多機能操作型電子部品にある。
【０００７】
本願請求項３に記載の発明は、前記第二回路基板の内部に設けた開口にその上面を露出する基台部を設置し、前記基台部上面に設けた揺動受け部と前記揺動つまみ下面に設けた支持部とを揺動自在に係合することで揺動つまみを揺動自在に支持したことを特徴とする請求項１に記載の多機能操作型電子部品にある。
【発明の効果】
【０００８】
請求項１に記載の発明によれば、回転式電子部品を構成する回転型物の上部に揺動式電子部品を構成する第二回路基板や揺動つまみ等を設置したので、回転式電子部品と揺動式電子部品とを二層構造に構成でき、全体として無理なくコンパクトに構成できてその外形寸法の小型化が図れるとともに、小型化しても回転式電子部品の操作と多方向揺動型電子部品の操作とを何れも干渉することなく独立して確実に行うことができる。
【０００９】
請求項２に記載の発明によれば、回転型物を回動自在に軸支する基部と、回転型物の上面を覆うように設置されて第二回路基板を載置する基板載置部とを具備する取付部材を設置したので、回転型物上への第二回路基板の設置が、容易且つ確実に行なえる。
【００１０】
請求項３に記載の発明によれば、第二回路基板の内部に設けた開口に基台部上面を露出してこの基台部上面に設けた揺動受け部と揺動つまみ下面に設けた支持部とを揺動自在に係合することで揺動つまみを揺動自在に支持したので、第二回路基板の上方での揺動つまみの揺動自在な設置が容易且つ確実に行なえる。
【発明を実施するための最良の形態】
【００１１】
以下、本発明の実施形態を図面に基づいて詳細に説明する。図１は本発明の一実施形態にかかる多機能操作型電子部品１の概略断面図（但し下記するアース板２８０の図面記載は省略）である。同図に示すようにこの多機能操作型電子部品１は、取付台１０上に、基台２０と、第一回路基板３０と、回転型物６０と、取付部材９０と、第二回路基板１２０と、揺動つまみ取付部材１５０と、揺動つまみ１８０と、回転つまみ２１０とを設置して構成されている。以下各構成部品について説明する。
【００１２】
取付台１０はこの実施形態では剛性を有する金属板で構成され、その中央近傍の所定位置に、下記する揺動つまみ取付部材１５０に設けた固定用突起１５５を挿入する複数の取付孔１１と、前記取付孔１１の周囲であって下記する取付部材９０に設けた係合突起１０３を挿入する複数の取付孔１３と、前記取付孔１３のさらに周囲であって下記する基台２０に設けた取付突起２９を挿入する複数の取付孔１５とを設けて構成されている。なおこの金属板製の取付台１０はこの多機能操作型電子部品１が機器に組み込まれた際に、機器のアース回路と接続されるものである。
【００１３】
図２は基台２０を示す図であり、図２（ａ）は平面図、図２（ｂ）は裏面図である。同図及び図１に示すように、基台２０はこの実施形態では剛性を有する合成樹脂板で構成され、その外形形状は略円形である。そしてその中央には略円形で上下に貫通する開口２１が設けられている。開口２１の内周辺の対向する位置からその内側に向かっては一対の舌片状に突出する取付部２３，２３が設けられ、これら取付部２３，２３の上下面からはそれぞれ一つずつの小突起状の固定部２５，２６が突設されている。基台２０の下面の開口２１の周囲には、下記するアース用基板２５０を構成する合成樹脂フイルムの厚みと同じ寸法の深さの凹部からなる基板収納部２７が設けられている。基台２０の下面の前記取付台１０の各取付孔１５に対向する位置にはこれらに挿入する外径寸法の複数本の取付突起２９が設けられている。なお基台２０としては合成樹脂以外の材質のもの（例えば金属）を用いても良い。
【００１４】
図３は第一回路基板３０と第二回路基板１２０とアース用基板２５０とを一体に形成してなる回路基板２４０を示す平面図である。同図に示す回路基板２４０は、可撓性を有する合成樹脂フイルム（例えばポリエチレンテレフタレートフイルム等）上に所望の回路パターンを形成して構成されるものであり、回路パターンは例えば導電ペーストを印刷（スクリーン印刷等）したり、貼り付けた銅箔をエッチングすること等によって形成されている。回路基板２４０は、第一回路基板３０とアース用基板２５０と第二回路基板１２０とを、細い帯状の第一，第二連結部２６０，２６５によって連結し、また第一回路基板３０の外周辺から外部の回路に接続するための引出部２７０を引き出すように取り付けて構成されている。以下各構成部分について説明する。
【００１５】
第一回路基板３０は略円形であり、その中央に上下に貫通する開口部３１を設け、開口部３１の周囲の上面に内側から同心円状にコモン摺動パターン３３、第一オンオフパターン３５、第二オンオフパターン３９を設けて構成されている。コモン摺動パターン３３、第一オンオフパターン３５、第二オンオフパターン３９からはそれぞれ引出部２７０に向けて回路パターン４０が引き出されている。開口部３１は前記基台２０の開口２１の形状と同一であり、その内周辺の対向する位置からは取付部２３，２３と同一形状の取付部４１，４１を突出して設けている。これら取付部４１，４１にはそれぞれ一つずつ前記基台２０の固定部２５を挿通する小孔からなる取付固定部４３が設けられている。コモン摺動パターン３３はリング状であり、また第一オンオフパターン３５と第二オンオフパターン３９は何れもリング状で複数の矩形状の接点部を所定間隔毎に設けて構成されている。
【００１６】
第二回路基板１２０は略円形であり、その中央に略円形の開口１２１を設け、また開口１２１の周囲に等間隔に四つの押圧スイッチ１２３を設け、また外周近傍の複数位置（五箇所）に貫通する小孔からなる取付部１２５を設けて構成されている。各押圧スイッチ１２３はそれぞれ第二回路基板１２０上に設けた図示しないスイッチ接点パターン上に弾性金属板をドーム状に形成した反転板１２３ａを取り付けて構成されている。各押圧スイッチ１２３からはそれぞれ図示しない回路パターンが引き出されて回路基板２４０の上面及び／又は下面を通って前記引出部２７０に引き出されている。なお回路基板２４０の下面に回路パターンを形成する場合はスルーホールを利用する。
【００１７】
アース用基板２５０は第一，第二回路基板３０，１２０よりも小さい外径寸法の略円形に形成され、その中央付近に四つの小孔からなる挿通孔２５１を設け、その外周近傍に四つの小孔からなる取付穴２５３と、二つの小孔からなる取付孔２５５とを設けて構成されている。
【００１８】
図４は前記回路基板２４０に貼り付けられるアース板２８０を示す平面図である。このアース板２８０は絶縁性の合成樹脂フイルム（この実施形態ではＰＥＴフイルム）上面の全面に金属層（この実施形態ではアルミ箔）を積層（この実施形態では接着材による接着）して構成されている。アース板２８０は略円形の基板覆い部２８１と略矩形状の接触部２８５とを連結部２８３によって連結して構成されている。基板覆い部２８１の外形形状は前記第二回路基板１２０の外形形状と同一形状であり、連結部２８３の外形形状は第二連結部２６５の外形形状と同一形状である。そして基板覆い部２８１の前記第二回路基板１２０に設けた開口１２１に対向する位置にはこれと同一形状の開口２８６を設け、また第二回路基板１２０に設けた四つの押圧スイッチ１２３にそれぞれ対向する位置にはそれぞれ反転板１２３ａの外径寸法よりも小さい内径寸法の開口２８９を設け、また第二回路基板１２０に設けた各取付部１２５に対応する位置にはそれぞれ貫通孔２８７を設けている。また接触部２８５の前記アース用基板２５０に設けた四つの挿通孔２５１に対向する位置にはそれぞれ挿通孔２５１と同一形状の挿通穴２９１が設けられている。そして上面に金属層が積層されたアース板２８０は、前記回路基板２４０の上に、基板覆い部２８１が第二回路基板１２０上を覆い、連結部２８３が第二連結部２６５上を覆い、接触部２８５がアース用基板２５０の中央部分上を覆うように貼り付けられる。このとき第二回路基板１２０の開口１２１に対向する位置に開口２８６が位置し、各押圧スイッチ１２３の中央に対向する位置に開口２８９が位置し、取付部１２５に対向する位置に貫通孔２８７が位置し、挿通孔２５１に対向する位置に挿通穴２９１が位置する。
【００１９】
図５は回転型物６０を示す図であり、図５（ａ）は平面図、図５（ｂ）は図５（ａ）のＡ−Ａ断面図である。同図に示すように回転型物６０は合成樹脂を略円板状に成形して構成されており、その中央には円形の軸支孔６１が設けられ、回転型物６０上面の軸支孔６１の周囲には複数本（四本）の小突起状の係合部６３が設けられ、係合部６３の外周側には等間隔に複数個の凹状のクリック部６５が設けられ、また回転型物６０下面の所定位置には摺動子取付面６７が設けられてその面上に四本の小突起状の係止部６９が設けられ、さらに外周側面の複数箇所には下記する回転つまみ２１０を位置決め・固定するための爪状の係合部７１が設けられている。なお回転型物６０の上面には図１に示すようにクリック板７５が載置される。クリック板７５は図１に示すように金属板をリング状に形成して構成されており、前記回転型物６０の各クリック部６５に対応する位置にはこれと同一形状の貫通孔からなるクリック部７７が設けられている。なお前記回転型物６０に設けた係合部６３を、このクリック板７５のこれらに対応する位置に設けた図示しない貫通孔に挿入することで位置決めされる。
【００２０】
また回転型物６０の前記摺動子取付面６７には、図１に示すように、弾性金属板製の摺動子８１が取り付けられる。摺動子８１は摺動子取付面６７に当接する平板状の基部８３を有し、基部８３の一辺から突出してＵ字状に折り曲げられた二本のアーム部の先端にそれぞれ摺接部８７を設けて構成されている。そして基部８３に設けた貫通孔に前記係止部６９を挿入してその先端を熱カシメすれば、摺動子８１が摺動子取付面６７に固定される。
【００２１】
図６は取付部材９０を示す図であり、図６（ａ）は平面図、図６（ｂ）は右側面図である。同図に示すように取付部材９０は、合成樹脂を略円板状に成形してなる基板載置部９１と、基板載置部９１の下面中央から下方向に向かって突出する円筒状の基部１０１とを一体に成形して構成されている。基板載置部９１はその上面が平面状でその外周近傍の複数箇所（五ヶ所）から小突起状の係止部９３を突出し、その中央には上下に貫通する開口部９５を設け、さらに開口部９５の内周から基板載置部９１の外周に向けて帯状で浅い凹部からなる凹状の基板ガイド溝９７を設けている。またその下面の外周近傍の複数箇所（二ヶ所）からは小突起状のクリック弾接板取付用係止部９９が突出している。各係止部９５は基板載置部９１上に前記図３に示す第二回路基板１２０を載置した際の各取付部１２５に対向する位置に設けられている。基板ガイド溝９７は前記回路基板２４０を構成する合成樹脂フイルムの厚み寸法と略同一深さ寸法であって回路基板２４０の第二連結部２６５を収納できる幅寸法に形成されている。一方基部１０１の下辺からは下方向に向かって複数本（四本）の係合突起１０３が突出している。これら係合突起１０３は、前記回路基板２４０のアース用基板２５０に設けた各取付穴２５３及び同時に図１に示す取付台１０の各取付孔１３に対向する位置に設けられている。また円筒状の基部１０１の下辺には、１８０°対向する位置に一対の凹状の切り欠き１０２（図６では一ヶ所のみ示す）が設けられている。切り欠き１０２はこの基部１０１を前記回路基板２４０の第一基板３０に設けた開口部３１と基台２０の開口２１とに挿入した際に、開口部３１の取付部４１と開口２１の取付部２３とに基部１０１が当接するのを避けるためのものである。なお取付部材９０の基板載置部９１の下面には、図１に示すクリック弾接板１１０が取り付けられる。クリック弾接板１１０は、リング状の基部１１１と、基部１１１から下方向に突出する弾性を有するアーム部１１３と、アーム部１１３の途中に設けられる弾接部１１５とを具備している。基部１１１は前記クリック弾接板取付用係止部９９によって基板載置部９１の下面に固定される。
【００２２】
図７は揺動つまみ取付部材１５０を示す図であり、図７（ａ）は平面図、図７（ｂ）は図７（ａ）のＢ−Ｂ断面図である。同図に示すように揺動つまみ取付部材１５０は合成樹脂の成形品であり、略円柱状の基台部１５１と、基台部１５１の上部外周から基台部１５１の中心軸Ｌに対して垂直な面方向に向けて張り出す弾性変形する複数（四つ）のヒンジ部１６１とを具備して構成されている。基台部１５１の上面中央には半球面状に凹む凹状の揺動受け部１５３が設けられ、また基台部１５１の下面からは複数本（四本）の固定用突起１５５が突出している。各固定用突起１５５は、回路基板２４０のアース用基板２５０に設けた各挿通孔２５１に対向する位置（この位置はアース板２８０に設けた各挿通穴２９１の位置及び図１に示す取付台１０の各取付孔１１の位置と同じ位置である）に設けられている。一方ヒンジ部１６１は、薄い板状部材を略Ｃ字状に形成してその両端を基台部１５１に接続してなる弾性支持部１６３と、弾性支持部１６３の中央部分に設けられるつまみ固定部１６５とを具備している。つまみ固定部１６５は弾性支持部１６３よりも厚みが厚く、その内部に上下に貫通する孔からなる取付部１６７を設けている。
【００２３】
図８は揺動つまみ１８０を示す図であり、図８（ａ）は平面図、図８（ｂ）は図８（ａ）のＣ−Ｃ断面図である。同図に示すように揺動つまみ１８０は、合成樹脂を略円板状に成形して構成されている。揺動つまみ１８０の上面全体は押圧面１８１となっていて押圧面１８１の外周側面からはリング状につば部１８３が突出している。揺動つまみ１８０の下面中央には半球状に突出する支持部１８５が設けられ、またその周囲にはリング状に等間隔に略円柱状の押圧部１８７が複数（四つ）設けられ、さらに各押圧部１８７の間の位置にはそれぞれ小突起状の固定部１８９が設けられている。
【００２４】
回転つまみ２１０は図１に示すように、合成樹脂を略円板状であって、その外周から下方向に向かって側壁部２１１を垂下し、さらにその中央に前記揺動つまみ１８０の押圧面１８１を露出する円形の開口２１３を設けて構成されている。側壁部２１１の下部には前記回転型物６０の各係合部７１に係合して両者間を位置決め・固定する孔又は溝からなる係合固定部２１５が設けられている。
【００２５】
図９は取付部材９０の基板載置部９１上に設置される補強板１３０の平面図である。補強板１３０は合成樹脂フイルム（この実施形態では回路基板２４０よりも剛性を有するＰＥＴフイルム）を略円形（小判型）に形成して構成されており、その中央には円形の開口１３１が設けられ、また開口１３１の周囲であって前記基板載置部９１上に設けた各係止部９３に対向する位置にはそれぞれ孔又は溝からなる挿入部１３３が設けられている。
【００２６】
次に多機能操作型電子部品１の組み立て方法の一例を説明する。まず予め前述のように回転型物６０の下面に摺動子８１を取り付け、回転型物６０の上面にクリック板７５を取り付け、また取付部材９０の基板載置部９１の下面にクリック弾接板１１０を取り付けておく。一方揺動つまみ取付部材１５０のヒンジ部１６１の上面側に揺動つまみ１８０を載置し、その際揺動つまみ１８０の支持部１８５を揺動つまみ取付部材１５０の揺動受け部１５３に係合し、同時に揺動つまみ１８０の各固定部１８９を揺動つまみ取付部材１５０の取付部１６７に挿入してその先端を熱カシメすることで一体化しておく。また図３に示す回路基板２４０の第二回路基板１２０の上面と第二連結部２６５の上面とアース用基板２５０の中央部分上面とを覆うように、図４に示すアース板２８０を貼り付けておく。
【００２７】
そして図１０に示すように、基台２０の上面に回路基板２４０の内の第一回路基板３０を載置し（図１０では第一回路基板３０上面に設けている各種回路パターンの記載、及び第二回路基板１２０上面等に貼り付けられているアース板２８０の記載、及び第一回路基板３０と第二回路基板１２０の間に以下の組み立て工程で設置される回転型物６０及び取付部材９０の記載を省略している）、その際基台２０の一対の固定部２５（図２（ａ）参照）に第一回路基板３０の一対の取付固定部４３を挿入してその先端を熱カシメして両者を一体化する。次に回路基板２４０の内の第二回路基板１２０とアース用基板２５０の部分全体を、第一連結部２６０の部分を基台２０の外周部分で基台２０の下面側に折り返し、これによってアース用基板２５０の部分を基台２０下面の中央に位置させ、さらに第二回路基板１２０の部分を基台２０に設けた開口２１と第一回路基板３０に設けた開口部３１を通して第一回路基板３０の上面側に引き出す。そして基台２０の下面中央に位置するアース用基板２５０の一対の取付孔２５５（図３参照）に基台２０下面に設けた一対の固定部２６（図２参照）を挿入してその先端を熱カシメすることで両者を一体化する。このときアース用基板２５０に設けている挿通孔２５１と取付穴２５３は、全て基台２０の開口２１と第一回路基板３０の開口部３１内に露出している。また図１０ではその記載を省略しているが、第二回路基板１２０の上面はその全体がアース板２８０の基板覆い部２８１によって覆われており、またアース用基板２５０の下面にはアース板２８０の接触部２８５が貼り付けられている。
【００２８】
次に図１に示すように、基台２０の下面に取付台１０を設置し、その際基台２０下面に設けた各取付突起２９をそれぞれ取付台１０の各取付孔１５に挿入し、その先端を熱カシメすることで一体化する。次に取付部材９０の基部１０１を回転型物６０の軸支孔６１に回動自在に挿入したものを、第一回路基板３０の中央に設置する。このとき基部１０１の下端部は第一回路基板３０の開口部３１と基台２０の開口２１内に挿入され、基部１０１に設けた各係合突起１０３をアース用基板２５０の各取付穴２５３と取付台１０の各取付孔１３とに挿入し、図１に示すように、その先端を熱カシメすることによって固定する。取付部材９０を第一回路基板３０の中央に設置する際、同時に図１に示すように、第二回路基板１２０を筒状の基部１０１の内部と取付部材９０の開口部９５を通して基板載置部９１上に載置する。その際、基板載置部９１と第二回路基板１２０の間に補強板１３０を挟み込み、これによって第二連結部２６５が第二回路基板１２０との接続部において確実に３６０°折り返されるようにする。そして基板載置部９１上に設けた各係止部９３（図６参照）を、補強板１３０の挿入部１３３と第二回路基板１２０の取付部１２５に挿入し、その先端を熱カシメすれば、補強板１３０と第二回路基板１２０が基板載置部９１上に固定される。次に揺動つまみ１８０を取り付けた揺動つまみ取付部材１５０の基台部１５１を第二回路基板１２０の上からその開口１２１及び補強板１３０の開口１３１を通して取付部材９０の開口部９５に挿入してその下端をアース用基板２５０上に載置する。このとき基台部１５１の下端から突出する固定用突起１５５を、アース用基板２５０の挿通孔２５１と取付台１０の取付孔１１に挿入し、その先端を熱カシメして固定する。そして揺動つまみ１８０の外周を覆うように揺動つまみ１８０の上から回転つまみ２１０を被せ、回転つまみ２１０の係合固定部２１５に回転型物６０の係合部７１を係合することで回転つまみ２１０と回転型物６０とを一体化する。
【００２９】
以上のようにして完成した多機能操作型電子部品１は、図１に示すように、回転型物６０に取り付けた摺動子８０の摺接部８７が、第一回路基板３０上のコモン摺動パターン３３と第一，第二オンオフパターン３５，３９とに弾接し、一方回転型物６０の上面上を覆うように回転型物６０の上部に設置された第二回路基板１２０の各押圧スイッチ１２３上に揺動つまみ１８０の各押圧部１８７を配置している。なおこの実施形態では摺動子８１が電気的機能部となっている。また揺動つまみ１８０はその支持部１８５が揺動つまみ取付部材１５０の揺動受け部１５３に係合することでこの係合部分を揺動中心点にして多方向に揺動する。また第二回路基板１２０上面はアース板２８０（図１ではその記載を省略）の基板覆い部２８１によって覆われ、一方アース板２８０の接触部２８５は、図１に示すアース用基板２５０の下面側に位置し、さらに揺動つまみ取付部材１５０の基台部１５１の下端面と取付台１０間にアース用基板２５０が挟持され、これによって接触部２８５は取付台１０の上面に圧接されている。
【００３０】
更に詳細に言えば、多機能操作型電子部品１は、第一回路基板３０と、第一回路基板３０上に回動自在に設置される回転型物６０と、回転型物６０を回動することで第一回路基板３０上に設けた回路パターン（第一，第二オンオフパターン３５，３９等）の電気的出力を変化させる電気的機能部（摺動子８０）と、回転型物６０の上方に設置され複数の押圧スイッチ１２３を設けてなる第二回路基板１２０と、第二回路基板１２０の上方に設置され揺動中心点（支持部１８５と揺動受け部１５３の係合部分）を中心に多方向に揺動するとともに、複数の押圧スイッチ１２３上に対向する位置にそれぞれ押圧部１８７を設けてなる揺動つまみ１８０と、揺動つまみ１８０の外周を囲むとともに、回転型物６０と一体化してなる回転つまみ２１０とを具備して構成されている。また多機能操作型電子部品１は、回転型物６０に軸支孔６１を設けるとともに、回転型物６０に設けた軸支孔６１に挿入してこの回転型物６０を回動自在に軸支する基部１０１と、この基部１０１の上部の回転型物６０の上面を覆う位置に設置されるとともにその上面側に第二回路基板１２０を載置する基板載置部９１とを具備してなる取付部材９０を設置している。さらにこの多機能操作型電子部品１は、第二回路基板１２０の内部に設けた開口１２１からその上面を露出する基台部１５１を設置し、基台部１５１上面に設けた揺動受け部１５３と揺動つまみ１８０下面に設けた支持部１８５とを揺動自在に係合することで揺動つまみ１８０を揺動自在に支持している。
【００３１】
以上のように構成されている多機能操作型電子部品１において、回転つまみ２１０を回転すればこれと一体に回転型物６０が回転し、摺動子８１が第一回路基板３０上の回路パターン（第一，第二オンオフパターン３５，３９等）上を摺動してその電気的出力を変化する。このとき同時に取付部材９０に取り付けたクリック弾接板１１０の弾接部１１５が回転型物６０に取り付けたクリック板７５のクリック部７７に係合してクリック感覚を生じる。一方揺動つまみ１８０の押圧面１８１の何れかの場所を押圧してこれを揺動中心点を中心に揺動すると、下降した部分の下面側に設けた押圧部１８７がこれに対向する押圧スイッチ１２３の反転板１２３ａを押圧して反転し、クリック感覚を生じながら押圧スイッチ１２３がオンする。揺動つまみ１８０への押圧を解除すると、揺動つまみ１８０は反転した反転板１２３ａとヒンジ部１６１の弾性復帰力によって元の水平位置に自動復帰し、同時にオンした押圧スイッチはオフする。
【００３２】
上記多機能操作型電子部品１によれば、回転式電子部品を構成する回転型物６０の上部に揺動式電子部品を構成する第二回路基板１２０や揺動つまみ１８０等を設置したので、回転式電子部品と揺動式電子部品とを二層構造に構成でき、全体としてコンパクトでその外形寸法の小型化が図れる。
【００３３】
また上記多機能操作型電子部品１によれば、回転型物６０を回動自在に軸支する基部１０１と、回転型物６０の上面を覆う位置に設置されて第二回路基板１２０を載置する基板載置部９１とを具備する取付部材９０を設置したので、回転型物６０上への第二回路基板１２０の設置が、容易且つ確実に行なえる。
【００３４】
さらに上記多機能操作型電子部品１によれば、第二回路基板１２０の内部に設けた開口１２１から基台部１５１上面を露出してこの基台部１５１上面に設けた揺動受け部１５３と揺動つまみ１８０下面に設けた支持部１８５とを揺動自在に係合することで揺動つまみ１８０を揺動自在に支持したので、第二回路基板１２０の上方での揺動つまみ１８０の揺動自在な設置が容易且つ確実に行なえる。
【００３５】
ところで上記多機能操作型電子部品１において、揺動つまみ１８０や回転つまみ２１０を操作するためにこれらの部品に指等を接近した際、指等に帯電している静電気が、揺動つまみ１８０の外周と回転つまみ２１０の開口２１３の間の隙間から侵入する場合があるが、侵入した静電気は第二回路基板１２０上を覆うように取り付けたアース板２８０の基板覆い部２８１に入射する。そしてこの静電気はアース板２８０の接触部２８５から、この接触部２８５に面接触している金属板製の取付台１０（取付台１０はアースされている）にアースされる。従って前記静電気が多機能操作型電子部品１の各種回路パターンに入力する恐れはない。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では取付部材９０の基部１０１の内部を貫通するように揺動つまみ取付部材１５０の基台部１５１を立設させたが、前記基部１０１を省略して取付部材９０の基板載置部９１を直接基台部１５１に取り付け（基台部１５１と基板載置部９１とは一体成形で取り付けても良いし、両者間を固定することで取り付けても良い）、この基台部１５１の外周に直接回転型物６０の軸支孔６１を挿入して回動自在に軸支させても良い。このように構成すれば、さらに多機能操作型電子部品１の外形寸法の小型化が図れる。また揺動つまみ取付部材１５０のヒンジ部１６１は必ずしも必要なく、他の各種手段によって揺動つまみ１８０を基台部１５１上に揺動自在に設置しても良い。また上記実施形態では凸状の支持部１８５と凹状の揺動受け部１５３とによって揺動つまみ１８０を揺動自在に軸支したが、逆に揺動つまみ１８０に設ける支持部１８５を凹状（例えば半球凹状）に形成し、基台部１５１上面に設ける揺動受け部１５３を凸状（例えば半球凸状）に形成して両者を揺動自在に係合させても良い。前者の場合は凸状の支持部１８５内に揺動中心点が位置し、後者の場合は凸状の揺動受け部１５３内に揺動中心点が位置する。
【００３７】
また例えば静電気対策を施さない場合又は別の静電気対策を施す場合は、アース板２８０は不用であり、この場合は取付台１０やアース用基板２５０も不用となる。上記実施形態では第一回路基板３０と第二回路基板１２０とを一枚の回路基板２４０によって構成してその部品点数を削減するようにしたが、両基板は別々の部品として構成しても良い。その場合、両回路基板３０，１２０は合成樹脂フイルムを用いて構成する必要はなく、硬質基板を用いて構成しても良い。また上記実施形態では電気的機能部として摺動子８１を用いたが、他の各種形状・構造の電気的機能部を用いても良い。また第一回路基板３０上に形成する回路パターンはオンオフパターンに限られず、抵抗体パターンであっても良い。さらには単に第一回路基板３０上に設けた接点パターンに弾性金属板製の接点が当接、離間するような構造の電気的機能部（例えば特開２００２−１８４２６５号公報参照）でも良い。要は電気的機能部は、回転型物６０を回転することでその電気的出力を変化する構造のものであれば、どのような構造のものであっても良い。
【図面の簡単な説明】
【００３８】
【図１】本発明の一実施形態にかかる多機能操作型電子部品１の概略断面図である。
【図２】基台２０を示す図であり、図２（ａ）は平面図、図２（ｂ）は裏面図である。
【図３】第一回路基板３０と第二回路基板１２０とを一体に形成してなる回路基板２４０を示す平面図である。
【図４】アース板２８０を示す平面図である。
【図５】回転型物６０を示す図であり、図５（ａ）は平面図、図５（ｂ）は図５（ａ）のＡ−Ａ断面図である。
【図６】取付部材９０を示す図であり、図６（ａ）は平面図、図６（ｂ）は右側面図である。
【図７】揺動つまみ取付部材１５０を示す図であり、図７（ａ）は平面図、図７（ｂ）は図７（ａ）のＢ−Ｂ断面図である。
【図８】揺動つまみ１８０を示す図であり、図８（ａ）は平面図、図８（ｂ）は図８（ａ）のＣ−Ｃ断面図である。
【図９】補強板１３０を示す平面図である。
【図１０】回路基板２４０の組み立て状態を示す概略斜視図である。
【符号の説明】
【００３９】
１  多機能操作型電子部品
３０  第一回路基板
３３  コモン摺動パターン（回路パターン）
３５  第一オンオフパターン（回路パターン）
３９  第二オンオフパターン（回路パターン）
６０  回転型物
６１  軸支孔
８０  摺動子（電気的機能部）
９０  取付部材
９１  基板載置部
１０１  基部
１２０  第二回路基板
１２１  開口
１２３  押圧スイッチ
１５０  揺動つまみ取付部材
１５１  基台部
１５３  揺動受け部
１６１  ヒンジ部
１８０  揺動つまみ
１８５  支持部
１８７  押圧部
２１０  回転つまみ
２１３  開口部
【図１】
2006140046.tif 000003
【図２】
2006140046.tif 000004
【図３】
2006140046.tif 000005
【図４】
2006140046.tif 000006
【図５】
2006140046.tif 000007
【図６】
2006140046.tif 000008
【図７】
2006140046.tif 000009
【図８】
2006140046.tif 000010
【図９】
2006140046.tif 000011
【図１０】
2006140046.tif 000012